(57)【要約】【課題】漏水を低減させることができるバルコニーを提供することを目的としている。【解決手段】建物躯体Ｋの側壁側から軒先側に並行させて延設した妻桁と、  妻桁の先端間を接続する前桁３と、  前桁３に設けられている貫通孔より当該前桁３と直交する方向に突出して設けられている柱部８ｅと、  前桁３に設けられている貫通孔を覆うように当該前桁上面に当接すると共に、当該前桁３側に位置する柱部８ｅの外周面を覆うように設けられている第１カバー部材１１と、  第１カバー部材１１に取り付けられ、柱部８ｅの外周面を覆うように設けられている第２カバー部材１２と、  第２カバー部材１２の上端部１２ｂに取り付けられている手摺り５と、を有してなる。【選択図】図２
2018035633.tif 000002
【特許請求の範囲】
【請求項１】
建物躯体の側壁側から軒先側に並行させて延設した妻桁と、
前記妻桁の先端間を接続する前桁と、
前記前桁に設けられている貫通孔より当該前桁と直交する方向に突出して設けられている柱部と、
前記前桁に設けられている貫通孔を覆うように当該前桁上面に当接すると共に、当該前桁側に位置する前記柱部の外周面を覆うように設けられている第１カバー部材と、
前記第１カバー部材に取り付けられ、前記柱部の外周面を覆うように設けられている第２カバー部材と、
前記第２カバー部材の上部に取り付けられている手摺りと、を有してなるバルコニー。
【請求項２】
前記第１カバー部材と前記柱部との間には、シーリング材が充填されてなる請求項１に記載のバルコニー。
【請求項３】
前記柱部には、雨水を所定位置に案内する案内部が設けられ、
前記前桁には、前記案内部より案内された雨水を受ける受け部が設けられ、
前記受け部は、受けた雨水を所定の排水位置に移動させることが可能である請求項１又は２に記載のバルコニー。
【請求項４】
前記建物躯体の側壁側に一端部が取り付けられ、他端部が前記前桁の下部側に取り付けられてなる軒天パネルをさらに有し、
前記軒天パネルは、軒先側に向って下り傾斜してなる請求項１〜３の何れか１項に記載のバルコニー。
【発明の詳細な説明】
【技術分野】
【０００１】
本発明は、建物躯体の側壁から張り出して設けられるバルコニーに関する。
【背景技術】
【０００２】
近年、バルコニーは、建物の外観に優れている等の観点から、新築やリフォームの際に施工する例が増えてきている。例えば、特許文献１に記載のようなバルコニーが知られている。
【先行技術文献】
【特許文献】
【０００３】
【特許文献１】特開２０１０−１３９１８号公報
【発明の概要】
【発明が解決しようとする課題】
【０００４】
しかしながら、この種のバルコニーは、屋外に配置されるものであるため、特に、バルコニーの中間部分で手摺り同士を連結する際に、手摺りが折れないように補強材として柱をバルコニーの中間部分に設けているようなバルコニーにおいては、その柱部分より雨水が浸入（漏水）し易く、もって、軒下に雨水が滴下し、漏水の原因となるという問題があった。
【０００５】
そこで、本発明は、上記問題に鑑み、漏水を低減させることができるバルコニーを提供することを目的としている。
【課題を解決するための手段】
【０００６】
上記本発明の目的は、以下の手段によって達成される。なお、括弧内は、後述する実施形態の参照符号を付したものであるが、本発明はこれに限定されるものではない。
【０００７】
請求項１の発明によれば、建物躯体（Ｋ）の側壁側から軒先側に並行させて延設した妻桁（２）と、
前記妻桁（２）の先端（先端部２ｂ）間を接続する前桁（３）と、
前記前桁（３）に設けられている貫通孔（３ａ）より当該前桁（３）と直交する方向に突出して設けられている柱部（８ｅ）と、
前記前桁（３）に設けられている貫通孔（３ａ）を覆うように当該前桁上面（３ｂ）に当接すると共に、当該前桁（３）側に位置する前記柱部（８ｅ）の外周面（８ｅ１）を覆うように設けられている第１カバー部材（１１）と、
前記第１カバー部材（１１）に取り付けられ、前記柱部（８ｅ）の外周面を覆うように設けられている第２カバー部材（１２）と、
前記第２カバー部材（１２）の上部（上端部１２ｂ）に取り付けられている手摺り（５）と、を有してなることを特徴としている。
【０００８】
また、請求項２の発明によれば、上記請求項１に記載のバルコニーにおいて、前記第１カバー部材（１１）と前記柱部（８ｅ）との間には、シーリング材（３０）が充填されてなることを特徴としている。
【０００９】
さらに、請求項３の発明によれば、上記請求項１又は２に記載のバルコニーにおいて、前記柱部（８ｅ）には、雨水を所定位置（図２及び図３に示す矢印Ｙ４方向）に案内する案内部（案内板８ｆ）が設けられ、
前記前桁（３）には、前記案内部（案内板８ｆ）より案内された雨水を受ける受け部（３ｅ）が設けられ、
前記受け部（３ｅ）は、受けた雨水を所定の排水位置（集水枡２３）に移動させることが可能であることを特徴としている。
【００１０】
そしてさらに、請求項４の発明によれば、上記請求項１〜３の何れか１項に記載のバルコニーにおいて、前記建物躯体（Ｋ）の側壁側に一端部（基端部３１ａ）が取り付けられ、他端部（先端部３１ｂ）が前記前桁（３）の下部側に取り付けられてなる軒天パネル（３１）をさらに有し、
前記軒天パネル（３１）は、軒先側に向って下り傾斜してなることを特徴としている。
【発明の効果】
【００１１】
次に、本発明の効果について、図面の参照符号を付して説明する。なお、括弧内は、後述する実施形態の参照符号を付したものであるが、本発明はこれに限定されるものではない。
【００１２】
請求項１に係る発明によれば、前桁（３）に設けられている貫通孔（３ａ）より当該前桁（３）と直交する方向に柱部（８ｅ）を突出して設け、その前桁（３）に設けられている貫通孔（３ａ）を覆うように当該前桁上面（３ｂ）に当接すると共に、当該前桁（３）側に位置する柱部（８ｅ）の外周面（８ｅ１）を覆うように第１カバー部材（１１）を設け、その第１カバー部材（１１）に取り付けられ、柱部（８ｅ）の外周面を覆うように第２カバー部材（１２）を設け、その第２カバー部材（１２）の上部（上端部１２ｂ）に手摺り（５）が取り付けられているから、雨水は、図２に示すように、矢印Ｙ１方向に流れ、軒先側より排水されるか、或いは、矢印Ｙ２方向に流れ、排水溝１５に流れ外部に排水されることとなる。これにより、柱部（８ｅ）と貫通孔（３ａ）との間の僅かな隙間から雨水が浸入する事態を低減させることができ、もって、漏水を低減させることができる。
【００１３】
また、請求項２に係る発明によれば、第１カバー部材（１１）と柱部（８ｅ）との間には、シーリング材（３０）が充填されているから、第２カバー部材（１２）と柱部（８ｅ）との間に雨水が浸入したとしても、シーリング材（３０）により、雨水がそれ以上、下流に流れることがないため、漏水をさらに低減させることができる。
【００１４】
さらに、請求項３に係る発明によれば、柱部（８ｅ）には、雨水を所定位置（図２及び図３に示す矢印Ｙ４方向）に案内する案内部（案内板８ｆ）が設けられ、前桁（３）には、案内部（案内板８ｆ）より案内された雨水を受ける受け部（３ｅ）が設けられ、その受け部（３ｅ）は、受けた雨水を所定の排水位置（集水枡２３）に移動させることが可能であるから、漏水をさらに低減させることができる。
【００１５】
そしてさらに、請求項４に係る発明によれば、軒天パネル（３１）が、軒先側に向って下り傾斜しているから、軒天パネル（３１）に流れてきた雨水を軒先側より排水することができ、もって、軒下に雨水が滴下しないようにすることできるため、漏水をさらに低減させることができる。
【図面の簡単な説明】
【００１６】
【図１】（ａ）は本発明の一実施形態に係るバルコニーの正面図、（ｂ）は同バルコニーの側面図、（ｃ）は同バルコニーの平面図である。
【図２】図１（ｃ）のＡ−Ａ線断面図である。
【図３】同実施形態に係るアーム部の斜視図を示すと共に、柱部の外周面に設けられている第２カバー部材の半断面図を示す図である。
【図４】図３のＢ−Ｂ線断面図である。
【図５】図１（ｃ）のＣ−Ｃ線断面図の一部を省略した図である。
【発明を実施するための形態】
【００１７】
以下、本発明に係るバルコニーの一実施形態を、図面を参照して具体的に説明する。なお、以下の説明において、上下左右の方向を示す場合は、図示正面から見た場合の上下左右をいうものとする。
【００１８】
本実施形態に係るバルコニー１は、戸建住宅や集合住宅或いは施設建物等に使用されるものであって、図１に示すように、建物躯体Ｋの側壁に基端部２ａ（図１（ｂ）参照）が図示しないボルト等によって取付け固定され、その基端部２ａから軒先側に延設して設けられた側面視矩形状の妻桁２が、図１（ａ）に示すように左右に並行に設けられ、その左右に並行に設けられている妻桁２の先端部２ｂに前桁３が接続され、その前桁３及び妻桁２には、複数の支柱４がビス４ａ（図５参照）を介して立設固定されている。そして、これら支柱４の上端間を結びように笠木からなる手摺り５（図２参照）が接続され、これら支柱４を結ぶように一定間隔置きに横化粧格子パネル６が支柱４にビス（図示せず）で取付け固定され、そして、前桁３と妻桁２とで囲まれた部分に、図１（ｃ）に示すように、床板材７が敷設されているというものである。
【００１９】
かくして、このように構成されるバルコニー１には、図１（ａ）に示すように、手摺り５同士がバルコニー１の中間部分Ｍで連結されているため、手摺り５が折れないように、補強材として機能するＬ字状のアーム部８（図２参照）が、中間部分Ｍの左右近傍に一対設けられている。また、バルコニー１の中間部分Ｍには、図１（ｃ）に示すように、床板材７同士の連結部分を隠す化粧板として機能する平面視矩形状の化粧カバー９が床板材７と直交する方向に敷設されている。
【００２０】
ここで、本発明の特徴とするところは、アーム部８に関する構成によりバルコニー１の漏水を低減させることができるという点にあることから、この点について、以下、詳しく説明することとする。
【００２１】
アーム部８は、図２に示すように、断面視矩形状の固定板８ａと、この固定板８ａに基端部８ｂ１が溶接固定されている溝型鋼等からなるバルコニー１自体の重量を支持する支持部８ｂと、この支持部８ｂの先端部８ｂ２に複数のビス８ｃ（図示では、４個）によって基端部８ｄ１が取付け固定されているジョイント部８ｄと、このジョイント部８ｄと直交する方向に立設されるように（図３も参照）、このジョイント部８ｄの先端部８ｄ２に溶接固定されている溝型鋼等からなる柱部８ｅとで構成されている。
【００２２】
このように構成されるアーム部８は、図２に示すように、固定板８ａがアンカーボルト１０によって建物躯体Ｋの側壁に取付け固定されることによって、支持部８ｂ及びジョイント部８ｄが床板材７の下部に配置固定されることとなる。そして、柱部８ｅは、図４に示すように、前桁３に設けられている切欠き加工されることによって形成された貫通孔３ａ内に挿通されることにより、図３に示すように、前桁３と直交する方向に突出して設けられることとなる。なお、本実施形態においては、前桁３に設けられている貫通孔３ａとして、切欠き加工することによって形成される例を示したが、それに限らず、前桁３を上下方向に貫通させて貫通孔を設けるようにしても良い。
【００２３】
ところで、このように柱部８ｅを、図４に示すように、前桁３に設けられている貫通孔３ａに挿通した際、必ず僅かな隙間が生じることとなる。それゆえ、その僅かな隙間から雨水が浸入すると、軒下に雨水が滴下する可能性があり、もって、漏水の原因となる。
【００２４】
そこで、本実施形態においては、柱部８ｅと貫通孔３ａとの間の僅かな隙間に雨水が浸入しないように次のような構成としている。すなわち、図３及び図４に示すように、前桁３に設けられている貫通孔３ａを覆うように前桁３の上面３ｂに当接すると共に、当該前桁３側に位置する柱部８ｅの外周面８ｅ１を覆うように、樹脂等からなる第１カバー部材１１を設け、その第１カバー部材１１に取り付けられると共に、柱部８ｅの外周面を覆うようにアルミ型材等からなる第２カバー部材１２を設けるようにしている。これにより、柱部８ｅと貫通孔３ａとの間の僅かな隙間に雨水が浸入しないようにしている。より具体的に説明すると、第１カバー部材１１は、図３及び図４に示すように、前桁３に設けられている貫通孔３ａを覆うように前桁３の上面３ｂに当接すると共に、前桁３の上面３ｂに係止される断面視逆Ｌ字形の第１係止部材１１ａと、この第１係止部材１１ａに一端部１１ｂ１が嵌合され、前桁３側に位置する柱部８ｅの外周面８ｅ１を覆うように他端部１１ｂ２が立ち上っている断面視逆Ｌ字形の第２係止部材１１ｂとで構成されている。
【００２５】
このように構成されている第１カバー部材１１には、第２係止部材１１ｂの他端部１１ｂ２に、図３及び図４に示すように、第２カバー部材１２の下端部１２ａが嵌合されている。そして、このように下端部１２ａが第２係止部材１１ｂの他端部１１ｂ２に嵌合されている第２カバー部材１２は、図２に示すように、前桁３の上面３ｂより突出している柱部８ｅの外周面を全て覆うように延設されており、上端部１２ｂが、手摺り５にビス（図示せず）等により取付け固定されている断面視矩形状の取付金具５ａにビス１３を介して取付け固定されている。これにより、第２カバー部材１２内に前桁３の上面３ｂより突出している柱部８ｅが配置され、第２カバー部材１２の上端部１２ｂには、手摺り５が配置されることとなる。なお、図２に示すように、第２カバー部材１２と柱部８ｅとは、図３に示すビス孔８ｅ２を用いて所定間隔置きに設けられたビス１４を介して接続されている。そして、第２カバー部材１２の前部には、一定間隔置きに設けられている横化粧格子パネル６がビス６ａを介して取付け固定されている。
【００２６】
なお、図２に示すように、柱部８ｅは、手摺り５まで延設されておらず、手摺り５付近までしか延設されていないが、柱部８ｅを手摺り５まで延設するようにしても良い。柱部８ｅを手摺り５まで延設していないのは、柱部８ｅを手摺り５まで延設しなくとも、第２カバー部材１２を手摺り５まで延設すれば、手摺り５同士をバルコニー１の中間部分Ｍ（図１（ｃ）参照）で連結する際の補強材としての役割を十分に果たすことができるためである。
【００２７】
しかして、このような構成にすれば、雨水は、第１カバー部材１１と第２カバー部材１２とによって、図２に示すように、矢印Ｙ１方向に流れ、軒先側より排水されるか、或いは、矢印Ｙ２方向に流れ、床板材７が敷設されている前桁３と妻桁２とで囲まれた部分の前部に設けられている断面視コ字状の排水溝１５に流れることとなるから、柱部８ｅと貫通孔３ａとの間の僅かな隙間から雨水が浸入する事態を低減させることができ、もって、漏水を低減させることができる。
【００２８】
ところで、この排水溝１５は、図１（ｃ）に示すように、バルコニー１の長手方向に沿って、延設されており、左右両端には、外部へ雨水を排水するルーフドレン１６が設けられている。より具体的に説明すると、図５に示すように、ルーフドレン１６の下部には、上面が開放されたＵ字状の根太１７が配置されている。これにより、この根太１７内にルーフドレン１６より排水された雨水が貯留されることとなる。
【００２９】
この根太１７は、図５に示すように、軒先側に向って下り傾斜しており、基端部１７ａが、建物躯体Ｋの側壁に複数のボルト１８を介して取付け固定されている断面視略コ字状の根太掛１９にボルト２０を介して取付け固定され、先端部１７ｂが前桁３にボルト２１を介して取付け固定されている。そして、この根太１７の上部には、床板材７が所定間隔置きに設けられたビス７ａを介して取付け固定され、さらに、排水溝１５がビス１５ａを介して取付け固定されている。
【００３０】
かくして、このように軒先側に下り傾斜している根太１７の前部には、円筒状の排水パイプ２２が鉛直方向に向って取付け固定され、その排水パイプ２２の下端部２２ａには、集水枡２３が配置されている。これにより、根太１７に貯留された雨水は、排水パイプ２２を通って、集水枡２３内に排水されることとなる。
【００３１】
この集水枡２３は、樹脂等からなり、図５に示すように、上面が開放された有底の側面視略台形状に形成されており、雨水を貯留できるようになっている。そして、この集水枡２３は、下部に一体形成されている矩形状の妻桁用取付金具２３ａによって、ビス２４を介して妻桁２に取付け固定され、さらに、下部に一体形成されている矩形状の前桁用取付金具２３ｂによって、ビス２５を介して前桁３の断面視逆Ｌ字状の下部３ｄに取付け固定されている。これにより、排水パイプ２２の下端部２２ａに集水枡２３が配置されることとなる。
【００３２】
かくして、このように構成される集水枡２３の右側部には、塩化ビニル等で形成された円筒状のパイプからなる横樋２６が接続され、この横樋２６は、建物躯体Ｋ側に向って下り傾斜しており、塩化ビニル等で形成された円筒状のパイプからなる縦樋２７と連通されている。これにより、集水枡２３に貯留された雨水は、横樋２６並びに縦樋２７を通って外部に排水されることとなる。
【００３３】
しかして、図２に示す矢印Ｙ２方向に流れた雨水は、排水溝１５に設けられているルーフドレン１６を介して根太１７に排水され、さらに、根太１７から排水パイプ２２を通って、集水枡２３に排水され、そして、集水枡２３から横樋２６並びに縦樋２７を通って外部に排水されることとなる。
【００３４】
ところで、本実施形態においては、図２に示す矢印Ｙ２方向に流れた雨水が排水溝１５に確実に流れるようにするために、図２及び図５に示すように前桁３の上面端部３ｃを排水溝１５側に突出させ、排水溝１５の一部に覆い被さるように形成している。これにより、図２に示す矢印Ｙ２方向に流れた雨水が排水溝１５に確実に流れることとなる。また、このように、前桁３の上面端部３ｃを排水溝１５側に突出させ、排水溝１５の一部に覆い被さるように形成すれば、前桁３と排水溝１５との間の僅かな隙間に雨水が浸入する事態を低減させることができる。なお、もし、上面端部３ｃを設けていても、何らかの理由により前桁３と排水溝１５との間の僅かな隙間に雨水が浸入しようとした際、その侵入をさらに防止するため、図２及び図５に示すように、排水溝１５の左側面上部にエプトシーラー２８が設けられている。
【００３５】
ここで、上述したように、雨水は、第１カバー部材１１と第２カバー部材１２とによって、図２に示すように、矢印Ｙ１方向に流れ、軒先より排水されるか、或いは、矢印Ｙ２方向に流れ、排水溝１５に流れ、外部に排水されることとなるから、柱部８ｅと貫通孔３ａとの間の僅かな隙間から雨水が浸入する事態を低減させることができるものの、雨水は僅かな隙間でも侵入するものであるため、例えば、図２に示すビス１４を伝って、第２カバー部材１２と柱部８ｅとの間に侵入する可能性もある。
【００３６】
そこで、本実施形態においては、そのような事態となっても漏水を低減させるべく、図４に示すように、第１カバー部材１１の第１係止部材１１ａと柱部８ｅとの間の隙間を埋めるべくシリコーン系等のシーリング材３０を充填している。これにより、仮に、第２カバー部材１２と柱部８ｅとの間に雨水が浸入したとしても、シーリング材３０により、雨水がそれ以上、下流に流れることがないため、漏水をさらに低減させることができる。
【００３７】
しかしながら、シーリング材３０が経年劣化した際、シーリング材３０を伝って、柱部８ｅと貫通孔３ａとの間の僅かな隙間に雨水が浸入し、図３に示す矢印Ｙ３方向に雨水が流れ、もって、軒下に雨水が滴下する可能性がある。
【００３８】
そこで、本実施形態においては、そのような事態となっても漏水を低減させるべく、次のような構成としている。すなわち、図３に示すように、柱部８ｅの下部両側端部に一対の略Ｌ字状の案内板８ｆを溶接等により取付け固定し、図３に示す矢印Ｙ３方向に流れ出た雨水が矢印Ｙ４方向（図２も参照）、すなわち、軒先側に案内されるようにしている。そして、その案内された雨水が集水枡２３に排水されるように、まず、その雨水を、図２に示す前桁３の中間部分に位置する建物躯体Ｋ側に突出して設けられている断面逆コ字状の受け部３ｅにて受けるようしている。そしてこの受け部３ｅは、図５に示すように、上面が開放されている集水枡２３側の上部側まで延出して設けられているから、この受け部３ｅにて受けた雨水が集水枡２３内に排水されることとなる。これにより、シーリング材３０を伝って、柱部８ｅと貫通孔３ａとの間の僅かな隙間に雨水が浸入したとしても、その雨水を案内板８ｆ並びに受け部３ｅによって集水枡２３へ移動させることができるから、集水枡２３へ移動された雨水は、図５に示すように、横樋２６並びに縦樋２７を通って外部に排水されることとなる。よって、漏水をさらに低減させることができる。なお、案内板８ｆには、図３に示すように、ビス孔８ｆ１が設けられている。このビス孔８ｆ１には、図２に示すようにビス８ｆ２が挿入され、前桁３の上部に位置する縁部３ｆに取付け固定されるようになっている。これにより、柱部８ｅと前桁３との接続が強固になるようにしている。また、案内板８ｆには、図２及び図３に示すように、柱部８ｅと直交する面に、止水テープＴが貼り付けられている。この止水テープＴは、柱部８ｅと直交する面、全面に貼り付けられている分けではなく、雨水が矢印Ｙ４方向（図２も参照）に流れるように、柱部８ｅ側に位置する面には、止水テープＴを貼り付けていない。これにより、雨水が案内板８ｆの柱部８ｅから最も離れている端部より流れないようにすることができ、もって、確実に、雨水を矢印Ｙ４方向（図２も参照）、すなわち、軒先側に案内することができる。なお、この止水テープＴは、必要なければ、案内板８ｆに設けなくとも良い。
【００３９】
ところで、このような案内板８ｆ並びに受け部３ｅを設けたとしても、雨水を排水できない可能性もある。そこで、本実施形態においては、図２及び図５に示すように、軒天パネル３１を軒先側に向って下り傾斜させ、軒天パネル３１に流れてきた雨水を軒先側より排水できるようにしている。すなわち、軒天パネル３１は、軒天井を形成するもので、図２及び図５に示すように断面視矩形状に形成され、前桁３の下部に配置されると共に軒先側に向って下り傾斜するように、図２に示すように、基端部３１ａが、ボルト３２ａを介して建物躯体Ｋに取付け固定されている軒天ランナー３２に、ビス３１ａ１を介して取付け固定され、先端部３１ｂが、ビス２５を介して前桁３の断面視逆Ｌ字状の下部３ｄに取付け固定されている断面視Ｌ字状の軒天取付金具３３に、ビス３１ｂ１を介して取付け固定されている。そして、このようにして前桁３の下部に配置されると共に軒先側に向って下り傾斜するように配置された軒天パネル３１の先端部３１ｂと前桁３との間には、図２及び図５に示すように、隙間ができるようにしている。これにより、軒天パネル３１に流れてきた雨水が軒先側より排水されることとなるから、軒下に雨水が滴下しないようにすることでき、もって、漏水をさらに低減させることができる。
【００４０】
なお、図５に示す符号４０は、妻桁２の先端部２ｂ（図１（ｂ）参照）と前桁３を接続するための接続金具であって、この接続金具４０は、断面視Ｌ字状に形成され、妻桁２の先端部２ｂと前桁３との接続が可能なようにコーナ部分の形状に対応しているＬ字形状に形成されている。そして、このように形成される接続金具４０にビス４０ａを介して前桁３の縁部３ｆが接続され、図示はしないが、この接続金具４０にビスを介して妻桁２が接続されている。これにより、妻桁２の先端部２ｂと前桁３とが接続金具４０を介して接続されることとなる。
【００４１】
しかして、以上説明した本実施形態によれば、第１カバー部材１１と第２カバー部材１２を設けることによって、図２に示すように、矢印Ｙ１方向に雨水が流れ、軒先側より排水されるか、或いは、矢印Ｙ２方向に雨水が流れ、排水溝１５に流れ外部に排水されることとなるから、柱部８ｅと貫通孔３ａとの間の僅かな隙間から雨水が浸入する事態を低減させることができ、もって、漏水を低減させることができる。
【００４２】
また、本実施形態によれば、第１カバー部材１１の第１係止部材１１ａと柱部８ｅとの間の僅かな隙間を埋めるべくシーリング材３０が充填されているから、仮に、第２カバー部材１２と柱部８ｅとの間に雨水が浸入したとしても、シーリング材３０により、雨水がそれ以上、下流に流れることがないため、漏水をさらに低減させることができる。
【００４３】
さらに、本実施形態によれば、シーリング材３０を伝って、柱部８ｅと貫通孔３ａとの間の僅かな隙間に雨水が浸入したとしても、その雨水を案内板８ｆ並びに受け部３ｅによって集水枡２３へ移動させることができるから、漏水をさらに低減させることができる。
【００４４】
そしてさらに、本実施形態によれば、軒天パネル３１を軒先側に向って下り傾斜させているため、軒天パネル３１に流れてきた雨水を軒先側より排水することができるから、軒下に雨水が滴下しないようにすることでき、もって、漏水をさらに低減させることができる。
【００４５】
なお、本実施形態において示した形状等はあくまで一例であり、特許請求の範囲に記載された本発明の要旨の範囲内において、種々の変形・変更が可能である。
【符号の説明】
【００４６】
１        バルコニー
２        妻桁
２ｂ      （妻桁の）先端部（先端）
３        前桁
３ａ      貫通孔
３ｂ      （前桁の）上面
３ｅ      受け部
５        手摺り
８        アーム部
８ｅ      柱部
８ｆ      案内板（案内部）
１１      第１カバー部材
１１ａ    第１係止部材
１１ｂ    第２係止部材
１２      第２カバー部材
１２ｂ    （第２カバー部材の）上端部（上部）
２３      集水枡（所定の排水位置）
３１      軒天パネル
３１ａ    （軒天パネルの）基端部（一端部）
３１ｂ    （軒天パネルの）先端部（他端部）
Ｋ        建物躯体
【図１】
2018035633.tif 000003
【図２】
2018035633.tif 000004
【図３】
2018035633.tif 000005
【図４】
2018035633.tif 000006
【図５】
2018035633.tif 000007